(57)【要約】【課題】フェムトセル内の移動局の状態モードを所望の状態モードに自動的に遷移させつつ、当該フェムトセルに対する当該移動局の登録処理を自動的に行う。【解決手段】本発明に係る移動通信方法は、フェムトセル用無線基地局２０が、フェムトセル＃Ａ内の移動局ＵＥ＃１に対して、許可状態モード及びフェムトセル＃Ａの識別情報を含む報知情報を送信する工程と、移動局ＵＥ＃１が、移動局ＵＥ＃１の状態モードと報知情報に含まれる許可状態モードとが異なる場合に、移動局ＵＥ＃１］の状態モードを許可状態モードに遷移させる工程と、報知情報に含まれるフェムトセル＃Ａの識別情報が、移動局ＵＥ＃１によって管理されているアクセス許可リストに含まれていない場合に、移動局ＵＥ＃１が、フェムトセル＃Ａに対する登録要求を送信する工程とを有する。【選択図】図４
2010088061.tif 000002
【特許請求の範囲】
【請求項１】
フェムトセル用無線基地局が、フェムトセル内の移動局に対して、許可状態モード及び該フェムトセルの識別情報を含む報知情報を送信する工程と、
前記移動局が、該移動局の状態モードと前記報知情報に含まれる前記許可状態モードとが異なる場合に、該移動局の状態モードを該許可状態モードに遷移させる工程と、
前記報知情報に含まれる前記フェムトセルの識別情報が、前記移動局によって管理されているアクセス許可リストに含まれていない場合に、該移動局が、前記フェムトセルに対する登録要求を送信する工程と、
前記移動局の前記フェムトセルに対する登録が成功した場合、該移動局が、該フェムトセルにおいて待ち受けを行う工程とを有することを特徴とする移動通信方法。
【請求項２】
移動局であって、
アクセスが許可されているフェムトセルの識別情報を含むアクセス許可リストを管理するように構成されているアクセス許可リスト管理部と、
フェムトセル用無線基地局配下のフェムトセルから、許可状態モード及び該フェムトセルの識別情報を含む報知情報を受信するように構成されている報知情報受信部と、
前記移動局の状態モードと前記報知情報に含まれる前記許可状態モードとが異なる場合に、該移動局の状態モードを該許可状態モードに遷移させるように構成されているモード切替部と、
前記報知情報に含まれる前記フェムトセルの識別情報が、前記アクセス許可リストに含まれていない場合に、前記フェムトセルに対する登録要求を送信するように構成されている登録部と、
前記移動局の前記フェムトセルに対する登録が成功した場合、該フェムトセルにおいて待ち受けを行うように構成されている待ち受け処理部とを具備することを特徴とする移動局。
【発明の詳細な説明】
【技術分野】
【０００１】
本発明は、移動通信方法及び移動局に関する。
【背景技術】
【０００２】
近年、図書館や電車内等では、移動局の状態モードを「マナーモード」に設定することが推奨されており、自動車の運転中には、移動局の状態モードを「ドライブモード」に設定することが推奨されている。
【０００３】
また、ユーザによって設置され、登録された移動局に対してのみアクセスを許可する「フェムトセル用無線基地局」の導入が検討されている。
【特許文献１】特開２００５-２８６８６９号公報
【特許文献２】特開２００６-３３３３０４号公報
【発明の開示】
【発明が解決しようとする課題】
【０００４】
しかしながら、実際には、ユーザが、忘れていたという理由や設定に手間がかかるという理由から、図書館や電車内等であっても、移動局の状態モードが、「マナーモード」に設定されていなかったり、自動車の運転中であっても、移動局の状態モードが、「ドライブモード」に設定すされていなかったりするケースが見受けられる。
【０００５】
また、フェムトセル用無線基地局配下のフェムトセルに対してアクセスを許可するためには、かかるフェムトセルに対して各移動局を登録する必要があるが、かかる登録処理を行うには時間及び手間がかかるという問題点があった。
【０００６】
そこで、本発明は、上述の課題に鑑みてなされたものであり、フェムトセル内の移動局の状態モードを所望の状態モードに自動的に遷移させつつ、当該フェムトセルに対する当該移動局の登録処理を自動的に行うことができる移動通信方法及び移動局を提供することを目的とする。
【課題を解決するための手段】
【０００７】
本発明の第１の特徴は、移動通信方法であって、フェムトセル用無線基地局が、フェムトセル内の移動局に対して、許可状態モード及び該フェムトセルの識別情報を含む報知情報を送信する工程と、前記移動局が、該移動局の状態モードと前記報知情報に含まれる前記許可状態モードとが異なる場合に、該移動局の状態モードを該許可状態モードに遷移させる工程と、前記報知情報に含まれる前記フェムトセルの識別情報が、前記移動局によって管理されているアクセス許可リストに含まれていない場合に、該移動局が、前記フェムトセルに対する登録要求を送信する工程と、前記移動局の前記フェムトセルに対する登録が成功した場合、該移動局が、該フェムトセルにおいて待ち受けを行う工程とを有することを要旨とする。
【０００８】
本発明の第２の特徴は、移動局であって、アクセスが許可されているフェムトセルの識別情報を含むアクセス許可リストを管理するように構成されているアクセス許可リスト管理部と、フェムトセル用無線基地局配下のフェムトセルから、許可状態モード及び該フェムトセルの識別情報を含む報知情報を受信するように構成されている報知情報受信部と、前記移動局の状態モードと前記報知情報に含まれる前記許可状態モードとが異なる場合に、該移動局の状態モードを該許可状態モードに遷移させるように構成されているモード切替部と、
前記報知情報に含まれる前記フェムトセルの識別情報が、前記アクセス許可リストに含まれていない場合に、前記フェムトセルに対する登録要求を送信するように構成されている登録部と、
前記移動局の前記フェムトセルに対する登録が成功した場合、該フェムトセルにおいて待ち受けを行うように構成されている待ち受け処理部とを具備することを要旨とする。
【発明の効果】
【０００９】
以上説明したように、本発明によれば、フェムトセル内の移動局の状態モードを所望の状態モードに自動的に遷移させつつ、当該フェムトセルに対する当該移動局の登録処理を自動的に行うことができる移動通信方法及び移動局を提供することができる。
【発明を実施するための最良の形態】
【００１０】
（本発明の第１の実施形態に係る移動通信システムの構成）
図１乃至図３を参照して、本発明の第１の実施形態に係る移動通信システムについて説明する。
【００１１】
図１に示すように、本実施形態に係る移動通信システムは、ネットワーク装置１０と、フェムトセル＃Ａを管理するフェムトセル用無線基地局２０とを具備する。図１の例では、移動局ＵＥ＃１が、フェムトセル＃Ａにおいて、待ち受けを行っている。
【００１２】
図２に示すように、移動局ＵＥ＃１は、報知情報受信部１１と、アクセス許可リスト管理部１２と、登録部１３と、待ち受け処理部１４と、モード切替部１５とを具備している。
【００１３】
報知情報受信部１１は、フェムトセル用無線基地局２０配下のフェムトセル＃Ａから、許可状態モード及びフェムトセル＃Ａの識別情報を含む報知情報を受信するように構成されている。
【００１４】
ここで、移動局ＵＥ＃１の状態モードが、許可状態モードに設定されている場合にのみ、移動局ＵＥ＃１は、フェムトセル＃Ａにアクセスすることができる。例えば、移動局ＵＥ＃１の状態モードとしては、マナーモードや、ドライブモードや、サイレントモードや、通常モード等が想定され、ネットワーク装置１０が、許可状態モードとして、これらの状態モードのいずれかを指定するものとする。
【００１５】
アクセス許可リスト管理部１２は、移動局ＵＥ＃１によるアクセスが許可されているフェムトセルの識別情報を含むアクセス許可リストを管理するように構成されている。
【００１６】
モード切替部１５は、移動局ＵＥ＃１の状態モードと報知情報に含まれる許可状態モードとが異なる場合に、移動局ＵＥ＃１の状態モードを許可状態モードに遷移させるように構成されている。
【００１７】
登録部１３は、報知情報に含まれるフェムトセル＃Ａの識別情報が、アクセス許可リストに含まれていない場合に、フェムトセル＃Ａに対する登録要求を送信するように構成されている。
【００１８】
待ち受け処理部１４は、移動局ＵＥ＃１のフェムトセル＃Ａに対する登録が成功した場合、フェムトセル＃Ａにおいて待ち受けを行うように構成されている。
【００１９】
図３に示すように、ネットワーク装置１０は、許可状態モード管理部２１と、報知情報送信部２２と、アクセス許可リスト管理部２３と、登録部２４とを具備している。
【００２０】
ここで、本実施形態に係る移動通信システムが、ＷＣＤＭＡ方式の移動通信システムである場合には、ネットワーク装置１０は、無線制御装置ＲＮＣ又は交換局ＭＳＣ/ＳＧＳＮであり、本実施形態に係る移動通信システムが、ＬＴＥ（Ｌｏｎｇ  Ｔｅｒｍ  Ｅｖｏｌｕｔｉｏｎ）方式の移動通信システムである場合には、ネットワーク装置１０は、交換局ＭＭＥであるものとする。
【００２１】
許可状態モード管理部２１は、各フェムトセルにおける許可状態モードを管理するように構成されている。図３の例では、許可状態モード管理部２１は、フェムセル＃Ａにおける許可状態モードとして、マナーモード及びサイレントモードを管理するように構成されている。
【００２２】
ネットワーク装置１０の運用保守者が、ネットワーク装置１０に装備されているボタンを操作したり、ネットワーク装置１０の表示画面における表示に基づいて所定操作を行ったりして、かかる許可状態モードを変更するように構成されていてもよい。
【００２３】
報知情報送信部２２は、各フェムトセル（例えば、フェムトセル＃Ａ）内の移動局ＵＥ＃１に対して、各フェムトセルにおける許可状態モード及び各フェムトセルの識別情報を含む報知情報を送信するように構成されている。
【００２４】
アクセス許可リスト管理部２３は、各フェムトセルにおいてアクセスを許可している移動局の識別情報を含むアクセス許可リストを管理するように構成されている。図３の例では、アクセス許可リスト管理部２３によって管理されているアクセス許可リストには、フェムトセル＃Ａにおいてアクセスを許可している移動局の識別情報として、移動局ＵＥ＃Ａの識別情報が含まれている。
【００２５】
登録部２４は、特定移動局の特定フェムトセルに対する登録要求を受信した場合に、所定規則に基づいて、当該特定移動局の当該特定フェムトセルに対する登録処理を許可するか否かについて判断するように構成されている。
【００２６】
ここで、登録部２４は、かかる登録処理を許可すると判断した場合に、アクセス許可リスト管理部２３によって管理されているアクセス許可リストに対して、当該特定フェムトセルと当該特定移動局とを関連付けて記憶するように構成されている。
【００２７】
（本発明の第１の実施形態に係る移動通信システムの動作）
以下、図４を参照して、本発明の第１の実施形態に係る移動局ＵＥ＃１の動作ついて説明する。
【００２８】
図４に示すように、ステップＳ１０１において、移動局ＵＥ＃１は、フェムトセル＃Ａからの報知情報を受信する。
【００２９】
ステップＳ１０２において、移動局ＵＥ＃１は、移動局ＵＥ＃１によって管理されているアクセス許可リスト内に、受信した報知情報に含まれるフェムトセル＃Ａの識別情報が含まれているか否かについて判断する。
【００３０】
フェムトセル＃Ａの識別情報が含まれていると判断された場合、本動作は、ステップＳ１０３に進み、フェムトセル＃Ａの識別情報が含まれていないと判断された場合、本動作は、ステップＳ１０４に進む。
【００３１】
ステップＳ１０３及びＳ１０４において、移動局ＵＥ＃１は、移動局ＵＥ＃１の状態モードを、受信した報知情報に含まれる許可状態モード（例えば、マナーモード）に遷移させる。
【００３２】
ステップＳ１０５において、移動局ＵＥ＃１は、ネットワーク装置１０に対して、フェムトセル＃Ａに対する登録要求を送信し、移動局ＵＥ＃１のフェムトセル＃Ａに対する登録処理が成功した場合に、本動作は、ステップＳ１０６に進み、移動局ＵＥ＃１のフェムトセル＃Ａに対する登録処理が失敗した場合に、本動作は、ステップＳ１０７に進む。
【００３３】
ステップＳ１０６において、移動局ＵＥ＃１は、フェムトセル＃Ａにおける待ち受けを開始する。
【００３４】
一方、ステップＳ１０７において、移動局ＵＥ＃１は、フェムトセル＃Ａ以外のセルにおける待ち受けを開始する。
【００３５】
（本発明の第１の実施形態に係る移動通信システムの作用・効果）
本発明の第１の実施形態に係る移動通信システムによれば、フェムトセル＃Ａ内の移動局ＵＥ＃１の状態モードを所望の状態モード（例えば、マナーモードやサイレントモード等）に自動的に遷移させつつ、フェムトセル＃Ａに対する移動局ＵＥ＃１の登録処理を自動的に行うことができる。
【００３６】
（変更例）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００３７】
また、上述のネットワーク装置１０の機能は、フェムトセル用無線基地局２０内に設けられていてもよい。
【００３８】
なお、上述の移動局ＵＥ＃１フェムトセル用無線基地局２０やネットワーク装置１０の動作は、ハードウェアによって実施されてもよいし、プロセッサによって実行されるソフトウェアモジュールによって実施されてもよいし、両者の組み合わせによって実施されてもよい。
【００３９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ＃１フェムトセル用無線基地局２０やネットワーク装置１０内に設けられていてもよい。また、かかる記憶媒体及びプロセッサは、ディスクリートコンポーネントとして移動局ＵＥ＃１フェムトセル用無線基地局２０やネットワーク装置１０内に設けられていてもよい。
【００４１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００４２】
【図１】本発明の第１の実施形態に係る移動通信システムの全体構成図である。
【図２】本発明の第１の実施形態に係る移動局の機能ブロック図である。
【図３】本発明の第１の実施形態に係るネットワーク装置の機能ブロック図である。
【図４】本発明の第１の実施形態に係る移動局の動作を示すフローチャートである。
【符号の説明】
【００４３】
ＵＥ＃１…移動局
１１…報知情報受信部
１２、２３…アクセス許可リスト管理部
１３、２４…登録部
１４…待ち受け処理部
１５…モード切替部
１０…ネットワーク装置
２１…許可状態モード管理部
２２…報知情報送信部
２０…フェムトセル用無線基地局
【図１】
2010088061.tif 000003
【図２】
2010088061.tif 000004
【図３】
2010088061.tif 000005
【図４】
2010088061.tif 000006